(57)【要約】【課題】パイプの連結、取り外しを簡単に行うことのできるパイプ連結具を提供すること。【解決手段】パイプ連結具５０の筒端部５３には偏心孔であるパイプ差込孔５７が形成され、端部に回転可能に被せた締め付けキャップ５５には偏心孔であるパイプ締め付け孔５８が形成されている。これらにパイプ１４の先端部分を差し込み、締め付けキャップ５５を回すことで、パイプ１４をパイプ固定具５０の端部５３に連結固定できる。締め付けキャップ５５を回すと、この内周面５５ａと端部５３の外周面５３ａの摩擦力が増加し、締め付けキャップ５５が緩むことが無い。【選択図】図３
2015078048.tif 000002
【特許請求の範囲】
【請求項１】
筒本体部（５１）、および、前記筒本体部（５１）の少なくとも一方の筒端部（５３）に当該筒本体部（５１）の中心軸線（５１ａ）を中心として回転可能に被せた締め付けキャップ（５５）を有し、
前記筒端部（５３）は、前記中心軸線（５１ａ）を中心とする筒外周面（５３ａ）、および、当該筒端部（５３）の端面に開口し、前記中心軸線（５１ａ）に対して偏心しているパイプ差込孔（５７）を備え、
前記締め付けキャップ（５５）は、前記中心軸線（５１ａ）を中心とし、前記筒外周面（５３ａ）を取り囲むキャップ内周面（５５ａ）、および、当該締め付けキャップ（５５）のキャップ端面に形成され、前記中心軸線（５１ａ）に対して偏心しているパイプ締め付け孔（５８）を備え、
前記筒端部（５３）と前記締め付けキャップ（５５）の間には、前記締め付けキャップ（５５）の回転を、前記パイプ差込孔（５７）の中心が前記パイプ締め付け孔（５８）の中心に一致するパイプ差込用回転位置（５５Ａ）から１８０度未満の角度だけ回転したパイプ締め付け用回転位置までの角度範囲に規制するキャップ回転規制部（５９ａ、５９ｂ、６０）が形成され、
前記締め付けキャップ（５５）を前記パイプ差込用回転位置から前記パイプ締め付け用回転位置に向けて回転すると、前記キャップ内周面（５５ａ）と前記筒外周面（５３ａ）の間の摩擦力が増加するように、これらキャップ内周面（５５ａ）および筒外周面（５３ａ）の形状が規定されており、
前記パイプ差込孔（５７）および前記パイプ締め付け孔（５８）に連結対象のパイプ（１４）を差し通した状態で前記締め付けキャップ（５５）を前記パイプ差込用回転位置から前記パイプ締め付け用回転位置まで回すと、前記パイプ差込孔（５７）および前記パイプ締め付け孔（５８）の内周面（５７ａ、５８ａ）の間に、連結対象のパイプ（１４）が締め付けられる、
ことを特徴とするパイプ連結具（５０）。
【請求項２】
前記筒本体部（５１）の前記筒端部（５３）から前記締め付けキャップ（５５）が抜け出ることを防止する抜け止め部（６１、６２）を備えている請求項１に記載のパイプ連結具（５０）。
【請求項３】
前記筒本体部（５１）の前記パイプ差込孔（５７）の内部には、当該パイプ差込孔（５７）の直径方向に延びるパイプ回り止め（６３）が形成されており、
前記パイプ回り止め（６３）は、前記パイプ差込孔（５７）に差し込まれた連結対象のパイプ（１４）の先端面に形成されている係合部（６４）に係合可能である、
請求項１または２に記載のパイプ連結具。
【請求項４】
前記パイプ差込孔（５７）は、前記筒本体部（５１）の両側の前記筒端部（５３、５４）に形成され、
前記締め付けキャップ（５５、５６）は、前記筒端部（５３、５４）のそれぞれに回転可能に被せてある、
請求項１ないし３のうちのいずれか一つの項に記載のパイプ連結具。
【請求項５】
前記筒本体部（５１）には、前記中心軸線（５１ａ）の方向の途中の部位から当該中心軸線に直交する方向に延びるパイプ差込用の直交円筒部（５２）が形成されている請求項４に記載のパイプ連結具（５０）。
【請求項６】
前記筒本体部（５１）は、円弧状に延びる所定長さの円筒である請求項５に記載のパイプ連結具（５０）。
【請求項７】
一端縁が開口部となっている可撓性シートからなる袋（２）を、その開口部が上向きに開いた状態で保持するために用いる組立分解式の袋保持用スタンド（１）であって、
少なくとも３本の支持脚パイプ（３１〜３３）と、
連結すると円形あるいは円形に類似の閉鎖形状の枠になる、前記支持脚パイプと同一本数の円弧枠パイプ（１１〜１３）と、
前記円弧枠パイプ（１１〜１３）の端部を相互に連結して円形あるいは円形に類似の閉鎖形状の枠にするために、各支持脚パイプの上端部に一体形成されているか、あるいは、当該上端部に着脱可能な状態で取り付けられている、前記支持脚パイプと同一個数のパイプ連結具（２１〜２３）と、
袋の開口縁部分を前記円弧枠パイプ（１１〜１３）に固定するための複数個の袋固定具（４１〜４３）と、
を備えており、
各パイプ連結具（２１〜２３）は、請求項６に記載のパイプ連結具（５０）である、
組立分解式の袋保持用スタンド（１）。
【請求項８】
一端縁が開口している可撓性シートからなる落葉収集袋（２）、および、
前記落葉収集袋（２）を、その開口が上向きに開いた状態で保持する袋保持用スタンド（１）を備えており、
前記袋保持用スタンド（１）は、請求項７に記載の袋保持用スタンドである、
落葉収集器具（６）。
【請求項９】
前記落葉収集袋（２）および前記袋保持用スタンド（１）を収納するための手提げ用バッグ（５）を備えている請求項８に記載の落葉収集器具（６）。
【発明の詳細な説明】
【技術分野】
【０００１】
本発明は、簡単な操作によってパイプの着脱を行うことのできるパイプ連結具に関する。また、本発明は当該パイプ連結具を用いた組立分解式の袋保持用スタンド、および、当該袋保持用スタンドを備えた落葉収集器具に関する。
【背景技術】
【０００２】
落葉樹の多い地域では晩秋の落葉収集が大変な作業である。落葉は、プラスチック製の剛性の樽や、ポリエチレンシートからなる大きな袋等に集められる。乾燥しているとはいえ、落葉が一杯に詰め込まれた樽は重く持ち運びが大変である。袋は落葉収集場所において口を広げて簡単に落葉を詰め込むことができ便利であるが、袋の口が塞がってしまう、袋が倒れてしまう、袋が風で飛ばされてしまう等、決して実用的とはいえない。
【０００３】
従来において、プラスチック製などのごみ袋を口が開いた状態で保持可能な袋保持用スタンドが各種提案されている。このようなスタンドを用いて袋を口が開いた状態で保持すれば、落葉の収集作業を効率良く行うことができる。
【０００４】
特許文献１には左右に開閉するごみ袋用スタンドが提案されている。特許文献２にはごみ袋の口を円形に開いた状態で当該ごみ袋を垂直に保持可能なごみ袋保持用スタンドが提案されている。特許文献３にはごみ袋の口を、Ｃ形断面の円形の部材を用いて、円形の枠体との間に挟み込んで固定することのできるごみ袋保持スタンドが提案されている。特許文献４には、口を上に向けて円形に開いた状態で袋を保持できる折り畳み可能な脚を備えた支持具が提案されている。
【０００５】
しかしながら、このような従来において提案されているスタンドは持ち運びに不便である。特許文献４に開示のスタンドは脚を折り畳むことができるが、嵩張るのでやはり持ち運びに不便である。そこで、スタンドを複数本のパイプから組立および分解可能な構造とすることが考えられる。この場合には、パイプ同士を簡単な操作により連結および連結解除を行うことができることが望ましい。
【０００６】
パイプの連結具としては、偏心回転盤あるいは偏心カムを用いてパイプを取り外し可能に固定する構造のものが知られている。特許文献５には、一方のパイプに差し込まれた他方のパイプの先端に取り付けた偏心回転体を回転させることで、双方のパイプを連結するようにしている。特許文献６においても、一方のパイプに差し込まれた他方のパイプの偏心小径部を回転させてパイプ内周面に圧接してパイプ固定力を得るようにしている。特許文献７においても同様な機構が提案されている。
【先行技術文献】
【特許文献】
【０００７】
【特許文献１】特開２００１−１３０７０４号公報
【特許文献２】特開２００２−１５４６０２号公報
【特許文献３】特開２００５−１５１６１号公報
【特許文献４】特開２００１−６３８０２号公報
【特許文献５】特開２００２−２７６６２８号公報
【特許文献６】特開平８−４９８５号公報
【特許文献７】特開平５−７５０５号公報
【発明の概要】
【発明が解決しようとする課題】
【０００８】
従来における偏心回転部材あるいは偏心カムを用いたパイプの連結構造では、使用中に偏心回転部材が回転して偏心回転部材とパイプとの係合が緩むおそれがある。緩みが生じないように強く偏心回転部材を締め付けておく必要があり、パイプの連結を解除する場合には大きな力を必要とする。ごみ袋用スタンド等の場合には、小さな力で簡単にパイプの組み立て、分解ができることが望ましい。
【０００９】
本発明の課題は、簡単にパイプの固定、取り外しを行うことができるパイプ連結具を提供することにある。
【００１０】
また、本発明の課題は、この新しいパイプ連結具を備えた組立・分解が容易な袋保持用スタンドおよび当該袋保持用スタンドを備えた落葉収集器具を提供することにある。
【課題を解決するための手段】
【００１１】
上記の課題を解決するために、本発明のパイプ連結具は、
筒本体部、および、前記筒本体部の少なくとも一方の筒端部に当該筒本体部の中心軸線を中心として回転可能に被せた締め付けキャップを有し、
前記筒端部は、前記中心軸線を中心とする筒外周面、および、当該筒端部の端面に開口し、前記中心軸線に対して偏心しているパイプ差込孔を備え、
前記締め付けキャップは、前記中心軸線を中心とし、前記筒外周面を取り囲むキャップ内周面、および、当該締め付けキャップの前記パイプ差込孔に対峙するキャップ端面に形成され、前記中心軸線に対して偏心しているパイプ締め付け孔を備え、
前記筒端部と前記締め付けキャップの間には、前記締め付けキャップの回転を、前記パイプ差込孔の中心が前記パイプ締め付け孔に一致するパイプ差込用回転位置から１８０度未満の角度だけ回転したパイプ締め付け用回転位置までの角度範囲に規制するキャップ回転規制部が形成され、
前記締め付けキャップを前記パイプ差込用回転位置から前記パイプ締め付け用回転位置に向けて回転すると、前記キャップ内周面と前記筒外周面の間の摩擦力が増加するように、これらキャップ内周面および筒外周面の形状が規定されており、
前記パイプ差込孔および前記パイプ締め付け孔に連結対象のパイプを差し通した状態で前記締め付けキャップを前記パイプ差込用回転位置から前記パイプ締め付け用回転位置まで回すと、前記パイプ差込孔および前記パイプ締め付け孔の内周面の間に、連結対象のパイプが締め付けられることを特徴としている。
【００１２】
本発明のパイプ連結具では、締め付けキャップがパイプ差込用回転位置にある状態では、パイプ差込孔とパイプ締め付け孔の中心が一致している。例えば、双方の孔が同一内径の場合には、双方の孔が一致し、当該内径以下の外径のパイプを簡単にこれらの孔に差し通すことができる。パイプを差し通した状態で、締め付けキャップをパイプ締め付け用回転位置まで回すと、そこに形成されているパイプ締め付け孔が偏心回転して、その内周面によってパイプが半径方向に押圧される。この結果、筒本体部のキャップ差込孔の内周面と、パイプ締め付け孔の内周面の間にパイプが締め付けられ、パイプが筒本体部の筒端部に確実に連結固定される。
【００１３】
また、締め付けキャップをパイプ差込用回転位置からパイプ締め付け用回転位置に向けて回転すると、締め付け用キャップのキャップ内周面と筒端部の筒外周面との間の摩擦力が増加する。これらの間の摩擦力によって、締め付け用キャップはパイプ締め付け用回転位置に確実に保持される。すなわち、締め付け用キャップの緩みが防止され、パイプの連結固定状態が維持される。
【００１４】
パイプ締め付け孔は、パイプ差込孔と同一内径で、中心軸線に対して同一量だけ偏心している偏心孔とすることができる。締め付けキャップをパイプ差込用回転位置に回すと、パイプ差込孔とパイプ締め付け孔が完全に一致し、パイプの差しこみを簡単に行うことができる。
【００１５】
また、締め付けキャップが筒端部から外れないように、これらの部材の間に、抜け止め部を設けておくことが望ましい。
【００１６】
さらに、円弧状のパイプ等を連結固定する場合には、パイプを所定方向に湾曲した状態で連結固定することが必要な場合がある。例えば、複数本の円弧状のパイプを繋ぎ合わせて円形枠を形成する場合には、各パイプの円弧形状の中心が一致するように、各パイプを繋ぎ合わせる必要がある。これらのパイプを繋ぎ合わせるためにパイプ連結具を用いる場合には、パイプ連結具のパイプ差込孔に差し込まれたパイプが、締め付けキャップを締め込む間に回ってしまうことのないようにする必要がある。
【００１７】
そこで、筒端部のパイプ差込孔の内部に、当該パイプ差込孔の直径方向に延びるパイプ回り止めが形成され、パイプ回り止めは、パイプ差込孔に差し込まれた連結対象のパイプの先端面に形成されている係合部に係合可能であることが望ましい。パイプ回り止めに、パイプ先端の係合部を係合させ、この状態で締め付けキャップを締め込むようにすれば、パイプが回ってしまうことを防止できる。
【００１８】
また、パイプ連結具によって２本のパイプを繋ぐ場合には、筒本体部の両側の筒端部に、パイプ差込孔を形成し、これら筒端部のそれぞれに締め付けキャップを被せておけばよい。
【００１９】
さらに、本発明のパイプ連結具をＴ形として、３本のパイプをＴ形に連結することも可能である。この場合には、筒本体部に、その中心軸線の方向の途中の部位から当該中心軸線に直交する方向に延びるパイプ差込用の直交円筒部を形成しておけばよい。
【００２０】
円弧状のパイプを繋ぎ合わせて円形枠を形成する場合等においては、パイプ連結具の筒本体部も円弧状に湾曲した形状としておくことが望ましい。
【００２１】
次に、本発明は、一端縁が開口部となっている可撓性シートからなる袋を、その開口部が上向きに開いた状態で保持するために用いる組立分解式の袋保持用スタンドであって、
少なくとも３本の支持脚パイプと、
連結すると円形あるいは円形に類似の閉鎖形状の枠になる、支持脚パイプと同一本数の円弧枠パイプと、
円弧枠パイプの端部を相互に連結して円形あるいは円形に類似の閉鎖形状の枠にするために、各支持脚パイプの上端部に一体形成されているか、あるいは、当該上端部に着脱可能な状態で取り付けられている、支持脚パイプと同一個数のパイプ連結具と、
袋の開口縁部分を円弧枠パイプに固定するための複数個の袋固定具とを備えており、
各パイプ連結具は、２本のパイプを連結可能な上記構成のパイプ連結具であることを特徴としている。
【００２２】
本発明によれば、小さな力で簡単な操作により、パイプ連結具を介してパイプを連結固定してスタンドに組み立てる作業、および、各パイプ連結具からパイプを取り外してスタンドを分解する作業を行うことができる。
【００２３】
次に、本発明の落葉収集器具は、一端縁が開口している可撓性シートからなる落葉収集袋と、落葉収集袋を、その開口が上向きに開いた状態で保持する上記構成の袋保持用スタンドとを備えていることを特徴としている。ここで、携帯に便利なように、落葉収集袋および袋保持用スタンドを収納するための手提げ用バッグを備えていることが望ましい。
【図面の簡単な説明】
【００２４】
【図１】本発明の実施の形態に係る袋保持用スタンドによって落葉収集袋を保持した状態を示す説明図である。
【図２】袋保持用スタンドおよび落葉収集袋を示す分解斜視図、および、組み立てたスタンド本体を示す説明図である。
【図３】パイプ連結具を示す平面図、正面図、左側面図、締結用キャップの正面図および締め付けキャップの縦断面図である。
【図４】パイプ連結具の縦断面図である。
【図５】円筒本体部の一方の筒端部と締め付けキャップを示す斜視図、筒端部を締め付けキャップの側から見た場合の端面図、締め付けキャップを筒端部の側から見た場合の後側端面図、および、締め付けキャップをパイプ締め付け孔の側から見た場合の前側端面図である。
【図６】パイプ差込孔に差し込まれる連結対象のパイプの先端部分を示す部分斜視図である。
【図７】袋保持用スタンドを用いた落葉収集作業手順の一例を示す説明図である。
【発明を実施するための形態】
【００２５】
以下に、図面を参照して、本発明を適用した袋保持用スタンドおよびパイプ連結具の実施の形態を説明する。
【００２６】
（落葉収集用の袋保持用スタンド）
図１に示すように、本発明の実施の形態に係る袋保持用スタンド１は、ポリエチレン製などの可撓性シートからなる落葉収集袋２を、その開口部３を上向きで円形に広げた状態で垂直に保持するために用いられる。例えば、箕７を用いて落葉を集め、落葉収集場所に置かれた袋保持用スタンド１に保持されている落葉収集袋２に、収集した落葉４を詰め込む。落葉収集袋２が収集した落葉で一杯になると、これを袋保持用スタンド１から取り外す。この後は、別の落葉収集袋を取り付けるか、あるいは、落葉を詰めた落葉収集袋２を所定の廃棄場所まで運び、そこで落葉を廃棄した後に再び当該落葉収集袋２を取り付けて落葉を回収する。
【００２７】
図２は図１の落葉収集袋２が取り付けられている袋保持用スタンド１の分解斜視図である。図２（ａ）に示すように、袋保持用スタンド１は３本の円弧枠パイプ１１、１２、１３を備えており、これらを、３個のＴ形のパイプ連結具２１、２２、２３を用いて連結することで、図２（ｂ）に示すように円形枠１０を組み立て可能となっている。
【００２８】
また、各パイプ連結具２１、２２、２３のそれぞれに、３本の直線状の支持脚パイプ３１、３２、３３の上端部３１ａ、３２ａ、３３ａを差し込み固定することで、図２（ｂ）に示すように、円形枠１０が３本の支持脚３１〜３３によって支持された構成のスタンド本体１ａを組み立て可能となっている。さらに、袋保持用スタンド１はＣ形断面形状をした板バネからなる３個のクリップ４１、４２、４３を備えている。落葉収集袋２の開口部３の開口縁部分３ａを円形枠１０に被せ、その上から、クリップ４１〜４３を円形枠１０に嵌め込むことで、落葉収集袋２の開口縁部分３ａが円形枠１０に固定されて、円形に開いた状態に保持される。
【００２９】
（パイプ連結具）
図３（ａ）はパイプ連結具２１〜２３を示す平面図、図３（ｂ）はその正面図、図３（ｃ）はその左側面図、図３（ｄ）は締結用キャップの正面図、図３（ｅ）は締め付けキャップの縦断面図である。これらの図においては締め付けキャップを想像線で示してある。図４はパイプ連結具の縦断面図である。なお、パイプ連結具２１〜２３は同一の部品であるので、以下の説明においては、これらをパイプ連結具５０と総称する。
【００３０】
パイプ連結具５０は、円弧状に僅かに湾曲している円筒本体部５１と、この円筒本体部５１の中心軸線５１ａの方向の中央から直交方向に直線状に延びる直交円筒部５２と、円筒本体部５１の両側の筒端部５３、５４に被せた締め付けキャップ５５、５６とを備えている。なお、筒端部５３、５４は左右対称な形状、構造をしているので、必要に応じて対応する部位には同一の符号を付して説明する。同様に、締め付けキャップ５５、５６も左右対称に取り付けた同一部品であるので、対応する部位には同一の符号を付して説明する。
【００３１】
円筒本体部５１の両側の筒端部５３、５４の端面には、それぞれパイプ差込孔５７が開口している。これらのパイプ差込孔５７は、中心軸線５１ａに対して同一方向に同一量だけ偏心している円形内周面５７ａによって規定される偏心孔である。締め付けキャップ５５、５６は、それぞれ、筒端部５３、５４に対して、中心軸線５１ａを中心として回転可能に取り付けられている。
【００３２】
締め付けキャップ５５、５６において、パイプ差込孔５７に対峙しているキャップ端面には、それぞれパイプ締め付け孔５８が開口している。パイプ締め付け孔５８は、中心軸線５１ａに対して偏心した円形内周面５８ａによって規定される偏心孔である。本例のパイプ締め付け孔５８は、パイプ差込孔５７と同一量だけ偏心しており、パイプ差込孔５７と同一径の円形孔である。
【００３３】
締め付けキャップ５５、５６は、図３に示すパイプ差込用回転位置５５Ａ、５６Ａから、ほぼ９０度回転したパイプ締め付け用回転位置まで回転させることが可能となっている。締め付けキャップ５５、５６の回転をこの範囲に規制するために、円筒本体部５１の筒端部５３、５４における中心軸線５１ａの方向の内側の端には大径の円形フランジ５９が形成されており、この円形フランジ５９には略９０度の範囲に亘って切り込みが入れられている。これにより、円形フランジ５９には、パイプ差込用回転位置５５Ａ、５６Ａを規定する規制端面５９ａと、パイプ締め付け用回転位置を規定する規制端面５９ｂが形成されている。
【００３４】
締め付けキャップ５５、５６の側には規制端面５９ａ、５９ｂに係合可能な係合爪６０が形成されている。係合爪６０は、締め付けキャップ５５、５６におけるパイプ締め付け孔５８とは反対側の開口縁から突出している。締め付けキャップ５５、５６を、中心軸線５１ａを中心として回すと、係合爪６０が規制端面５９ａ、５９ｂに係合し、回転範囲が規制される。
【００３５】
円筒本体部５１の両側の筒端部５３、５４の外周面５３ａ、５４ａには、全周に亘って延びる矩形断面のガイド溝６１が形成されている。締め付けキャップ５５、５６の円形内周面５５ａ、５６ａには、ガイド溝６１に対応する部位に、周方向に等角度間隔で４条の突起６２が形成されている。突起６２がガイド溝６１に周方向にスライド可能な状態に嵌め込まれている。ガイド溝６１と突起６２からなる抜け止め機構によって、締め付けキャップ５５、５６は円筒本体部５１の筒端部５３、５４から中心軸線５１ａの方向に外れないようになっている。
【００３６】
次に、図５（ａ）は円筒本体部５１の一方の筒端部５３と締め付けキャップ５５を示す斜視図であり、図５（ｂ）は筒端部５３を締め付けキャップ５５の側から見た場合の端面図であり、図５（ｃ）は締め付けキャップ５５を筒端部５３の側から見た場合の後側端面図であり、図５（ｄ）は締め付けキャップ５５をパイプ締め付け孔５８の側から見た場合の前側端面図である。図６は、パイプ差込孔５７に差し込まれる連結対象のパイプである円弧枠パイプ１１〜１３（以下、これらを「パイプ１４」と呼ぶ。）の先端部分を示す部分斜視図である。
【００３７】
図５（ａ）、（ｂ）に示すように、円筒本体部５１の筒端部５３に形成したパイプ差込孔５７は円形孔である。その中心Ｃ（５７）は、筒端部５３の外周面５３ａの中心Ｃ（５３）に対して、パイプ差込用回転位置５５Ａを示す直径線Ｌ１の方向のｅ１だけ偏心している。直径線Ｌ１に直交する直径線Ｌ２が締め付けキャップ５５のパイプ締め付け用回転位置を表している。筒端部５３の外周面５３ａは、直径線Ｌ２の位置が短径位置となっている楕円状曲線によって規定されている。
【００３８】
一方、締め付けキャップ５５のパイプ締め付け孔５８は、パイプ差込孔５７と同一径の円形孔である。また、パイプ締め付け孔５８の中心Ｃ（５８）は、締め付けキャップ５５の内周面５５ａの中心Ｃ（５５）に対して、直径線Ｌ１の方向ｅ１だけ偏心している。締め付けキャップ５５の内周面５５ａは、直径線Ｌ２の位置が短径位置となっている楕円状曲線によって規定されている。
【００３９】
締め付けキャップ５５がパイプ差込用回転位置５５Ａにある状態では、パイプ差込孔５７にパイプ締め付け孔５８が一致している。連結対象のパイプ１４は、これらパイプ差込孔５７、締め付け孔５８に差し込み可能な外径寸法のパイプである。したがって、パイプ差込用回転位置５５Ａに締め付けキャップ５５を位置決めすると、パイプ１４をパイプ締め付け孔５８からパイプ差込孔５７に差し込むことができる。
【００４０】
締め付けキャップ５５をパイプ差込用回転位置５５Ａからパイプ締め付け用回転位置まで回すと、締め付けキャップ５５のパイプ締め付け孔５８が偏心回転し、中心軸線５１ａに対して、直径線Ｌ１に直交する方向に１／２ｅだけ偏心した状態になる。この結果、パイプ締め付け孔５８の円形内周面５８ａによってパイプ１４が直径線Ｌ１に直交する方向に外側から押圧される。パイプ１４は、円筒本体部５１のパイプ差込孔５７の円形内周面５７ａとパイプ締め付け孔５８の円形内周面５８ａの間に押し付けられ、パイプ連結具５０の端部５３に連結固定され、ここから抜け出ることがない。
【００４１】
また、図５（ｅ）に示すように、締め付けキャップ５５の内周面５５ａは楕円形状をしており、円筒本体部５１の筒端部５３の外周面５３ａも楕円形状をしている。これらの長径はほぼ同一であり、また、これらの長径位置は、パイプ差込用回転位置５５Ａを示す直径線Ｌ１上にある。また、筒端部５３の外周面５３ａの長径寸法は、内周面５５ａの短径寸法よりも僅かに長い。したがって、締め付けキャップ５５を、直径線Ｌ１で示すパイプ差込用回転位置５５Ａから、ほぼ９０度回転させた直径線Ｌ２で示すパイプ締め付け用回転位置まで回すと、締め付けキャップ５５の内周面５５ａに対して、筒端部５３の外周面５３ａが内側から押し付けられて、これらの間の摩擦力が増加する。これにより、締め付けキャップ５５はパイプ締め付け用回転位置に確実に保持され、緩むことがない。
【００４２】
ここで、図３（ｃ）、図４に示すように、筒端部５３、５４のパイプ差込孔５７の孔底には、直径線Ｌ１に沿った方向に延びる回り止め用突起６３が形成されている。これに対して、図６に示すように、連結対象のパイプ１４の端には、その円環状の端面１４ａにおける直径方向の２か所に、突起係合溝６４が形成されている。
【００４３】
パイプ１４の先端を、円筒本体部５１の筒端部５３のパイプ差込孔５７に対して、その突起係合溝６４に回り止め用突起６３が嵌め込まれるまで差し込む。これにより、締め付けキャップ５５を回してパイプ１４を締め付ける際に、パイプ１４が共に回ってしまうことがない。よって、図２に示すように、パイプ１４（１１〜１３）を、その曲率中心が同一位置となるように、パイプ連結具５０（２１〜２３）を用いて各パイプ１４を連結固定して、円形枠１０を簡単に形成することができる。
【００４４】
（落葉収集作業）
次に、図７を参照して、袋保持用スタンド１を用いた落葉収集作業手順の一例を説明する。まず、袋保持用スタンド１および落葉収集袋２が収納された手提げバッグ５を、落葉収集器具６として用意しておく（手順ＳＴ１）。これを落葉収集場所まで運び、手提げバッグ５から袋保持用スタンド１の部品を取り出して、そのスタンド本体１ａを組み立てる（手順ＳＴ２）。
【００４５】
次に、落葉収集袋２の開口部３を開き、円形枠１０の上側から落葉収集袋２を入れる。落葉収集袋２の開口部３の開口縁部分３ａを円形枠１０に被せ、この状態で上側からクリップ４１〜４３で開口縁部分３ａを円形枠１０に固定する（手順ＳＴ３）。
【００４６】
このようにして袋保持用スタンド１に保持された落葉収集袋２に回収した落葉４を詰める（手順ＳＴ４）。例えば、箕７あるいは、ちりとりを用いて落葉を回収し、回収した落葉を落葉収集袋２に詰める。
【００４７】
落葉収集袋２が落葉４で一杯になった後は、袋保持用スタンド１から落葉収集袋２を外し（手順ＳＴ５）、その口を結んで所定の回収場所に落葉収集袋２を運び込む（手順ＳＴ６）。収集した落葉４を落葉収集袋２から回収場所に開け、空になった落葉収集袋２を繰り返し使用する。落葉収集袋２に破れなどが出来た場合には新しい落葉収集袋を用いる。なお、落葉で一杯になった落葉収集袋２の口を結び、袋毎、所定の回収場所に廃棄し、あるいは、回収車に積み込むことも可能である。いずれの場合においても、落葉収集袋２のみが消耗品であるので、費用が掛からないという利点がある。
【００４８】
（その他の実施の形態）
上記の例では３本の円弧枠、３本の支持脚パイプ、３個のパイプ連結具、３個のクリップを使用している。円弧枠を４本以上とし、それに応じて支持脚パイプおよびパイプ連結具の数を増やすことも可能である。クリップは落葉収集袋を袋保持用スタンドに固定するためのものであるので、ワンタッチで枠に固定できれば、その個数に制限はなく、また、板バネ以外のものを使用することも可能である。例えば、洗濯バサミと同様な構造のバネ付勢式のものを用いることも可能である。
【００４９】
次に、円弧枠の代わりに、多角形の枠を使用することも可能であり、落葉収集袋の口が略円形に近い形状に開いた状態にできるものであればよい。
【００５０】
また、袋保持用スタンドの各構成部品は、プラスチック製品、金属製品、あるいは、プラスチック製部品と金属製部品の組み合わせなどとすることができる。
【００５１】
次に、上記の例は落葉収集袋を保持する例であるが、本発明による袋保持用スタンドは、落葉収集袋以外の袋を保持するために使用できることは勿論である。
【符号の説明】
【００５２】
１    袋保持用スタンド
１ａ  スタンド本体
２    落葉収集袋
３    開口部
３ａ  開口縁部分
４    落葉
５    手提げバッグ
６    落葉収集器具
７    箕
１０  円形枠
１１〜１３  円弧枠パイプ
１４  パイプ
１４ａ  端面
２１〜２３  パイプ連結具
３１〜３３  支持脚パイプ
３１ａ、３２ａ、３３ａ  上端部
４１〜４３  クリップ
５０  パイプ連結具
５１  円筒本体部
５１ａ  中心軸線
５３、５４  筒端部
５３ａ  外周面
５５、５６  締め付けキャップ
５５ａ  内周面
５５Ａ、５６Ａ  パイプ差込用回転位置
５７  パイプ差込孔
５７ａ  円形内周面
５８  パイプ締め付け孔
５８ａ  円形内周面
５９  円形フランジ
５９ａ、５９ｂ  規制端面
６０  係合爪
６１  ガイド溝
６２  突起
６３  回り止め用突起
６４  突起係合溝
Ｃ（５３）  中心
Ｃ（５５）  中心
Ｃ（５７）  中心
Ｃ（５８）  中心
Ｌ１  直径線
ｅ１  偏心量
【図２】
2015078048.tif 000003
【図３】
2015078048.tif 000004
【図４】
2015078048.tif 000005
【図５】
2015078048.tif 000006
【図６】
2015078048.tif 000007
【図１】
2015078048.tif 000008
【図７】
2015078048.tif 000009